(57)【要約】    【課題】    シャンプー等の比較的重い商品を入れて持ち帰る際に使用するバッグで、安価で軽量にするために合成樹脂製の薄いシート状の物質にて袋状に形成したバッグで、商品の重さによる変形、特に取っ手の取り付け部分に加わる力による変形を防止し得るようにする。    【解決手段】    薄い合成樹脂製シート（フィルム）にて袋状に形成したバッグの内部に形状の変化を防止するための補強用の板を配置したもので、この補強用の板がバッグの底面、背面、上方の面に位置するようにコの字状にしてバッグが所望の形状を保つようにした。特にバッグの上方の面に補強用の板が位置することにより、取っ手のバッグへの取り付け箇所にかかる力による変形も防止し得る。【選択図】            図１
0003104530.tif 000002
【実用新案登録請求の範囲】
【請求項１】
薄い合成樹脂製シートにて袋状に形成されたバッグ本体と、前記バッグ本体に取り付けられた取っ手とよりなるバッグで、前記バッグ本体内にその底面と背面と上方部分とに接するように配置される少なくとも底面部分と背面部分と上面部分とよりなり、各部分の境界にて折り曲げられてコの字状をなす補強用の板を設けたことを特徴とするバッグ。
【請求項２】
前記補強用の板を厚紙にて形成した請求項１のバッグ。
【請求項３】
前記補強用の板の上面部分を２重にする等により他より厚くしたことを特徴とする請求項１のバッグ。
【考案の詳細な説明】
【技術分野】
【０００１】
本考案は、バッグで、特にシャンプー等の洗剤類その他の商品を収納して持ち帰る際等に用いるバッグに関するものである。
【背景技術】
【０００２】
本考案のようなバッグは、例えば化粧品、洗剤等の販売店にて販売したシャンプー等を収納して持ち帰る時等に使用される。
【０００３】
このような目的のために使用されるバッグは安価で軽量で、更に宣伝を兼ねて透明で内部の商品が見得ることが好ましい。
【０００４】
そのために、この種のバッグは、透明で薄い合成樹脂のシート（フィルム）を袋状に縫製する等の手段により製造される。
【０００５】
このようなバッグは、軽量でシャンプー等の商品を入れて持ち帰るのに便利であり、また透明な合成樹脂シート製であるため、シャンプーが見えるので宣伝効果が得られる。
【０００６】
しかし、薄い合成樹脂シート（フィルム）よりなるため、所定のバッグの形状を保持することはできず、変形する欠点がある。
【０００７】
そのため、従来のこの種のバッグは、例えば厚紙等にて形成された補強用の板をバッグ背面や底面に設けることにより、変形を防止していた。
【０００８】
しかし、このような従来のバッグは、持ち帰る時に部品の重量により取っ手の取り付け部分に力が加わり、それにより変形が生ずる。
【考案の開示】
【考案が解決しようとする課題】
【０００９】
本考案は、持ち帰る時等に商品の重量により変形の少ないバッグで、特にバッグへの取っ手の取り付け部分においても変形がほとんどないようにしたバッグを提供することを目的とする。
【課題を解決するための手段】
【００１０】
本考案のバッグは、薄い合成樹脂製シート（フィルム）よりなり、バッグ内部にバッグの形状を保持するための補強用の板を配置したもので、この補強用の板が背面や底面の他に、バッグの取っ手の位置する上側の面に特に強度を大にした補強部を有するようにしたことを特徴とする。
【考案の効果】
【００１１】
本考案のバッグは、その内部に厚紙等よりなる補強用の板をその底面、背面に加えて上側の面にも設けることにより、薄い合成樹脂シートにて袋状に形成されたものであっても、底面、背面は勿論、取っ手の取り付け部分である上側の面の変形をも防止し得るという効果を奏する。
【考案を実施するための最良の形態】
【００１２】
次に本考案のバッグの実施例を述べる。
【実施例１】
【００１３】
本考案のバッグは、図１に示すような構成で、この図は前部を開いてバッグ内が見得るようにして示した概略図である。
【００１４】
この図１において、１はバッグ本体で、その前面部分１ａがファスナー２により開閉可能である。この図は、ファスナー２を開いて前面部分１ａを前方に倒してバッグを開いた状態である。３はバッグ本体１の両側面１ｂに取り付けられている取っ手、４はバッグ本体１の内部に配置されている補強用の板である。
【００１５】
この補強用板４は、厚紙等にて形成されていて、図２、図３に示すような形状である。これら図２、図３において、図２は、折り曲げる前の状態を示す平面図であり、図３は折り曲げてバッグ本体１に配置する時の状態を示している。
【００１６】
この補強用の板４は、図２に示すように、底面部分４ａと背面部分４ｂと上面部分４ｃとよりなり、所望の強度を保持するように、例えば厚紙等にて形成されている。
【００１７】
この実施例のバッグの場合、補強用の板４は、図２に示すような形状の厚紙を、折り曲げ線５、６に沿って折り曲げて図３に示すようなほぼコの字状とし、それを、図１に示すようなバッグ１の前面部分１ａを開いた状態にて、この前部の開口部分よりバッグ内に挿入し配置する。
【００１８】
このように、薄い合成樹脂のシートにて形成されたバッグ本体１の内部に補強用の板４を挿入して図１に示すように配置することにより、バッグ本体が曲がる等して所望の形状とは異なる形状にならないようにしている。
【００１９】
特に、この補強用の板４は、前述のように折り曲げ線５、６にて折ってほぼコの字状に形成されているので、バッグ本体の１の底面１ｂ、背面１ｃの他に上部１ｄにも補強用の板４が位置する。これにより、バッグ本体１の内部に、シャンプー等の比較的重量のある商品を収納し、前面部分１ａを閉じた後にファスナー２を閉めた上で取っ手３を持って持ち歩く際に、取っ手３の取り付け部分、例えば図１におけるＡにて示す部分に力が加わってもＡの部分付近が変形するおそれはない。
【００２０】
このように、補強用の板４の上方の部分４ｃは、バッグにシャンプー等の比較的重量のある商品を収納した上で取っ手３を持って商品を運ぶ場合に、取っ手３のバッグ本体１への取り付け部分（Ａ）に商品の重さによる力が加わっても、バッグ本体１の上方部分１ｄが変形するのを防止するためのものである。
【００２１】
したがって、この補強用の板４の上方部分４ｃの長さ（幅）ｔは、少なくともその先端が取っ手３の下まで来る長さにすることが望ましい。また、この補強用の板４を厚紙にて形成する場合は、少なくともその上方部分４ｃを厚くすることが望ましく、そのために例えばこの部分４ｃを２重にすれば一層好ましい。
【００２２】
この実施例では、図２に示す補強用の板４は、その上方部分４ｃの長さｔを２倍の長さとし、その中央の折り曲げ線７にて折り曲げ得るようにしてある。これにより、補強用の板４をコの字状に形成する場合、折り曲げ線５にて折り曲げて底面４ａとし、また折り曲げ線６にて折り曲げてコの字状とすると共に、図３に示すように上方部分４ｃを折り曲げ線７にて折り曲げて４ｃと４ｄが重なって２重になるようにしている。
【００２３】
図４は、図１に示すバッグにおいて、バッグ本体１の前面部分１ａを閉じてファスナー２を閉めた状態を示す概略図である。
【００２４】
本考案の前記実施例のバッグは、前述のようにバッグ本体１の内部にコの字状をした補強用の板４が配置されているため、内部に比較的重量が大であるシャンプー等の商品を入れて取っ手にて提げあるいは持ち帰る際にも、図４に示す状態を保ち得る。
【００２５】
尚、補強用の板４のうちの底面部分４ａの先を更に折り曲げることにより、バッグ本体１の前方部分１ａを開いた時に、みだりに商品が飛び出したり倒れたりすることのないようにする役割りを有している。
【００２６】
また、図５に示すような、合成樹脂等にて形成された商品設置台８を用いれば好ましい。この商品設置台８は、商品を挿入配置する凹部８ａを設けてある。この商品設置台８をバッグの内部に配置された補強用の板４の底面部分４ａの上に置き、商品を前記の凹部８ａに配置することにより、バッグに商品を収納した際に商品が安定し、倒れることがない。
【００２７】
この実施例のバッグは、バッグ本体１の前面１ａが開閉し得る構成であるため、補強用の板４の配置が簡単であり、この補強用の板を配置した後の商品の出し入れも簡単である。
【００２８】
更に、補強用の板４の底板４ａの先を上方に折る構造にすることにより、商品設置台８が安定し、それにより、商品の一層の安定化を図ることができる。
【００２９】
更に、図１等に示す実施例のバッグにおいて、バッグ本体１の高さを、バッグに商品を収納した際に商品の上側端部がバッグ本体１の上側面１ｄにほぼ接するようにすることにより、補強用の板４の上面部分４ｂに接するかあるいは密着するようになる。これにより、バッグ本体１に商品を収納したとき、その先端部分が補強用の板４の上面を押し上げるように作用し、補強用の板４の上面部分４ｃ、４ｄを押し上げるように作用する。これによりこの補強用の板４の上面部分４ｃ、４ｄが薄い合成樹脂影シートよりなる上部部分１ｄを押し上げるので、バッグ本体１は所望の形状を保持するようになる。
【００３０】
尚、本考案のバッグを構成する合成樹脂製のシート（フィルム）が透明シートであれば、内部の商品が外部より見得るため、商品の宣伝等の点では好ましい。
【００３１】
しかし、透明でなくとも本考案のバッグとして使用し得る。
【産業上の利用可能性】
【００３２】
本考案のバッグは、バッグ本体内に洗剤等の商品を収納して持ち帰る際等に使用するものであって、例えば、シャンプー等の比較的重量が大である商品を収納して手に提げてもバッグの形状が変化することもなく、また長時間提げていてもその形状が大きく変化することはない。
【図面の簡単な説明】
【００３３】
【図１】本考案のバッグの前面部分を開いた状態を示す概略図
【図２】本考案のバッグにて用いられる補強用の板の折り曲げ前の平面図
【図３】図２に示す補強用の板を折り曲げた時の斜視図
【図４】本考案のバッグの前面部分を閉じた状態の概略図
【図５】本考案のバッグで用いる商品設置台を示す図
【符号の説明】
【００３４】
１    バッグ本体
２    ファスナー
３    取っ手
４    補強用の板
５    商品設置台
【図１】
0003104530.tif 000003
【図２】
0003104530.tif 000004
【図３】
0003104530.tif 000005
【図４】
0003104530.tif 000006
【図５】
0003104530.tif 000007